(57)【要約】【課題】操作レバー枢軸回転用の金具を使用せずに、構造が簡素化され且つメンテナンスも容易となるガススプリング操作レバーの取付構造を提供すること。【解決手段】少なくとも座体７の下面には支基４の上面１８ａと対向する座シェル６を有し、座シェル６の下面には操作レバー８から伸びる枢軸９を嵌合可能な溝１０が形成され、枢軸９が座シェル６の溝１０と支基４の上部とで挟持されている。【選択図】図３
2008099837.tif 000002
【特許請求の範囲】
【請求項１】
支柱の上端に固着された支基の上面に座体を固着し、前記支基または座体に枢支された操作レバーの回動操作によって、座体の高さ調節または背凭れの角度調節用のガススプリング端部の操作ボタンを押圧するようにした椅子におけるガススプリング操作レバーの取り付け構造において、
少なくとも前記座体の下面には前記支基の上面と対向する座シェルを有し、該座シェルの下面には前記操作レバーから伸びる枢軸を嵌合可能な溝が形成され、前記枢軸が前記座シェルの溝と前記支基の上部とで挟持されていることを特徴とするガススプリング操作レバーの取付構造。
【請求項２】
溝の深さと幅が前記操作レバーの枢軸断面直径とほぼ同じに形成される略Ｕ字状の溝と、上面が平坦の支基とで前記操作レバーの枢軸が挟持されていることを特徴とする請求項１に記載のガススプリング操作レバーの取付構造。
【請求項３】
前記座シェル下面は格子状のシェル構造になっており、前記格子の一部と一体になって前記溝が形成されることを特徴とする請求項１または２に記載の椅子におけるガススプリング操作レバーの取付構造。
【請求項４】
前記座シェル下面には、前記溝と前記ガススプリング端部の操作ボタンが挿入される挿入凹部とが、予め決められた位置に前記座シェルの格子状シェル構造の一部として形成されていることを特徴とする請求項１ないし３のいずれかに記載の椅子におけるガススプリング操作レバーの取付構造。
【請求項５】
前記座シェルの格子状シェル構造を合成樹脂により形成したことを特徴とする請求項１ないし４のいずれかに記載の椅子におけるガススプリング操作レバーの取付構造。
【発明の詳細な説明】
【技術分野】
【０００１】
本発明は、椅子の座体の高さ調節または背凭れの角度調節用のガススプリングを駆動させるガススプリング操作レバーの取付構造に関する。
【背景技術】
【０００２】
従来、支柱の上端に固着された支基の上面に座体が固着され、前記支基または座体に枢支された操作レバーの操作によってガススプリングの端部の操作ボタンを操作し、座体の高さ調節または背凭れの角度を調節できるようになっている椅子がある。例えば、特許文献１に示されるようなガススプリング操作レバーの取付構造にあっては、ガススプリングの操作をする操作レバーの枢軸が下向きＵ字型の金具と支基の上面で挟持されている。
【０００３】
【特許文献１】特開２００３−１３５１９２号公報（第４頁、第４図）
【発明の開示】
【発明が解決しようとする課題】
【０００４】
しかしながら、特許文献１に記載の操作レバーの取付構造にあっては、支基にガススプリングの操作をする操作レバーの枢軸が金具等を用いて取り付けられている為、部品点数の増加等により構造が複雑になっているばかりか、操作レバーの故障時等に、補修やメンテナンスが困難になるという問題があった。
【０００５】
本発明は、このような問題点に着目してなされたもので、操作レバー枢軸回転用の金具を使用せずに、構造が簡素化され且つメンテナンスも容易となるガススプリング操作レバーの取付構造を目的とする。
【課題を解決するための手段】
【０００６】
前記課題を解決するために、本発明の請求項１に記載の椅子におけるガススプリング操作レバーの取付構造は、
支柱の上端に固着された支基の上面に座体を固着し、前記支基または座体に枢支された操作レバーの回動操作によって、座体の高さ調節または背凭れの角度調節用のガススプリング端部の操作ボタンを押圧するようにした椅子におけるガススプリング操作レバーの取り付け構造において、
少なくとも前記座体の下面には前記支基の上面と対向する座シェルを有し、該座シェルの下面には前記操作レバーから伸びる枢軸を嵌合可能な溝が形成され、前記枢軸が前記座シェルの溝と前記支基の上部とで挟持されていることを特徴としている。
この特徴によれば、操作レバーの枢軸を回転させる為の金具等を使用せずに、２つの部材、即ち前記支基と前記座シェルの溝で、操作レバーの回動支持部が構成するように前記操作レバーの枢軸が挟持されている為、操作レバーの取付構造が簡素化され且つ操作レバーの取り付け部のメンテナンスも容易となる。
【０００７】
本発明の請求項２に記載の椅子におけるガススプリング操作レバーの取付構造は、請求項１に記載の椅子におけるガススプリング操作レバーの取付構造であって、
溝の深さと幅が前記操作レバーの枢軸断面直径とほぼ同じに形成される略Ｕ字状の溝と、上面が平坦の支基とで前記操作レバーの枢軸が挟持されていることを特徴としている。
この特徴によれば、前記座体と前記支基との組み立て時に、前記操作レバーが挟持される回動支持部が形成される。その際、ほぼ一定の回動支持部の径が確保される為、前記座体と前記支基との組み立て精度が要求されない。
【０００８】
本発明の請求項３に記載の椅子におけるガススプリング操作レバーの取付構造は、請求項１または２に記載の椅子におけるガススプリング操作レバーの取付構造であって、
前記座シェル下面は格子状のシェル構造になっており、前記格子の一部と一体になって前記溝が形成されることを特徴としている。
この特徴によれば、枢軸にかかる負荷が格子状のシェル構造で分散されることにより、より前記溝の耐久性を向上させることができる。
【０００９】
本発明の請求項４に記載の椅子におけるガススプリング操作レバーの取付構造は、請求項１ないし３のいずれかに記載の椅子におけるガススプリング操作レバーの取付構造であって、
前記座シェル下面には、前記溝と前記ガススプリング端部の操作ボタンが挿入される挿入凹部とが、予め決められた位置に前記座シェルの格子状シェル構造の一部として形成されていることを特徴としている。
この特徴によれば、前記挿入凹部と前記溝が予め前記座シェルの格子状シェル構造の一部として形成されているので、操作レバーの枢軸を溝に挿入するだけで操作レバーの作用部をガススプリングの操作ボタンに正確に位置決めできる。
【００１０】
本発明の請求項５に記載の椅子におけるガススプリング操作レバーの取付構造は、請求項１ないし４のいずれかに記載の椅子におけるガススプリング操作レバーの取付構造であって、
前記座シェルの格子状シェル構造を合成樹脂により形成したことを特徴としている。
この特徴によれば、前記座シェルを合成樹脂製としたので、抜き成型によって前記挿入凹部や溝などの形成が容易となる。
【発明を実施するための最良の形態】
【００１１】
本発明に係る椅子におけるガススプリング操作レバーの取付構造を実施するための最良の形態を実施例に基づいて以下に説明する。
【実施例】
【００１２】
本発明の実施例を図面に基づいて説明すると、先ず図１は、本発明の椅子におけるガススプリング操作レバーの取付構造を備えた椅子を示す全体図であり、図２は図１の椅子を斜め上方から見た状態を示す分解斜視図であり、図３は図１の椅子を斜め下方から見た状態を示す斜視図であり、図４は座シェルの裏面構造を示す底面図であり、図５は図４（ａ）のＡ−Ａ断面図、（ｂ）は図４（ａ）のＢ−Ｂ断面図であり、図６は図５の回動支持部周りの拡大断面図である。尚、以下において、図１の左斜め手前側を椅子１の前方として説明する。
【００１３】
図１、図２の符号１は、椅子におけるガススプリング操作レバーの取付構造を備える椅子１である。椅子１は、先端にキャスターを備える複数本の脚１２と、該各脚１２の基端が固着された上下方向を向く支柱３と、該支柱３の上端に設けられる金属製の支基４と、該支基４の上面に固設される座体７と、該座体７の後方に配置され、支基４に対して後方に摺動自在に設けられる背凭れ５と、から主に構成されている。
【００１４】
支柱３は、円筒状をなすとともに、外径が異なる複数の円筒状部材からなるカバー体３ａと、該カバー体３ａ内に配設され、椅子１の高さ、詳しくは座体７及び背凭れ５の高さを調節可能とするガススプリング２と、から構成される。
【００１５】
ガススプリング２は、図５に示されるように、下端が各脚１２の基部に固定される本体部２ａと、該本体部２ａに対して摺動自在に嵌合された複数段のロッド２ｂと、からなり、ロッド２ｂの上端部には支基４が固定されている。よって、本体部２ａに対してロッド２ｂが伸縮することにより、支基４及び該支基４に設けられる座体７及び背凭れ５が上下方向に昇降するようになっている。
【００１６】
また、本実施例のガススプリング２は、従来公知のロック機構付のガススプリングが適用されているため、内部構造の詳細な説明は省略するが、ロッド２ｂの上端には操作ボタン２’が設けられており、該操作ボタン２’を押圧すると本体部２ａに対してロッド２ｂが伸縮自在になり、操作ボタン２’の押圧を解除すると、本体部２ａに対するロッド２ｂの伸縮が規制（ロック）されるようになっている。
【００１７】
支基４は、図２及び図３に示されるように、上方が開口する箱状に形成された金属製の板材からなり、上方の開口部の外周には、座シェル６に取り付けるためのボルト１５を取り付けるための取付穴１６が４隅に形成されている。下部中央には、ロッド２ｂの上部が貫通する貫通口１９（図５参照）が形成されているとともに、その上方には、貫通口１９と同心をなす貫通口２０（図５参照）が中央に形成された固定板１８が固着されている。
【００１８】
ロッド２ｂは、下部の貫通口１９の下方から上方の貫通口２０まで先端部が挿通されており、上端に設けられた操作ボタン２’が固定板１８の上面１８ａより上方（外部）に露呈した状態で、支基４の下部及び固定板１８が固着されている。つまり、本体部２ａに対して伸縮するロッド２ｂの上端に支基４が固定されている。
【００１９】
固定板１８は、支基４の本体内部に溶接等で固定されており、ロッド２ｂの上端を固定するとともに、平坦状に形成された上面１８ａにより、ロッド２ｂの上端周囲に平坦面が構成されている。また、椅子１を正面から見て左側の側面には、後述する操作レバー８を上下方向に移動可能に収容する縦溝１１が形成されている。
【００２０】
操作レバー８は、椅子１の高さを調節するガススプリング２の操作ボタン２’を押圧するための部材であり、該操作レバー８は、一端に取っ手２１が設けられ、他端に作用部１４が設けられた金属製の丸棒材８ａと、該丸棒材８ａに対して直交する方向に向けて固着された枢軸９と、から構成されている。丸棒材８ａにおける作用部１４近傍には湾曲部２２が形成されており、この湾曲部２２の近傍に枢軸９が溶接で接合されている。また、作用部１４は、操作ボタン２’の押圧面が広くなるように、丸棒材８ａの先端を上下方向から押圧成形することにより平坦状の上下面を有する板状に形成されている。
【００２１】
次に、座体７の下面に形成された座シェル６について、図３及び図４に基づいて説明すると、座シェル６は、座面を構成する板材と、該板材の下面から垂設された複数の板状のリブとが一体成形されるとともに、これらリブが格子状に配設されてシェル構造に形成されている。
【００２２】
座シェル６の下面における支基４との対向面部には、各リブの下端が平坦をなす長方形状の平坦面２６が形成されるとともに、該平坦面２６は、平坦面２６を構成するリブの下端より下方に若干突出した枠状リブ２３により囲まれており、この枠状リブ２３により囲まれた平坦面２６の四隅には、支基４の取付穴１６に取り付けられたボルト１５が螺合されるネジ穴１７が形成されている。よって、枠状リブ２３内に支基４を嵌合して位置決めされた状態で、取付穴１６に取り付けたボルト１５をネジ穴１７内に螺入することで、支基４を座シェル６の下面に固定することができるようになっている。
【００２３】
また、平坦面２６の中央には、ガススプリング２の操作ボタン２’が遊挿される略円形状の挿入筒部１３と、該挿入筒部１３の側方に連設され、枢軸９の両端を回動自在に受支する一対の枢軸保持溝１０，１０とが、平坦面２６よりも下方に突出するように形成されている。詳しくは、挿入筒部１３の一部には、丸棒材８ａが挿通される挿通部１３ａが切り欠き形成されており、一対の枢軸保持溝１０，１０は、その挿通部１３ａを挟んで両側の端部からそれぞれ連設されている。よって、操作レバー８は、図４に示されるように、丸棒材８ａをこれら一対の枢軸保持溝１０，１０間及び挿通部１３ａを挿通し、かつ、枢軸９の両端を一対の枢軸保持溝１０，１０内に嵌合することで配設されるようになっている。
【００２４】
尚、枢軸保持溝１０は、枢軸９の直径より若干大寸の幅寸法及び深さ寸法を有する下向きに開口する略U字状に形成されており、枢軸９が嵌合された状態で該枢軸９全体が枢軸保持溝１０内に収容され、かつ、大きながたつかないように形成されている。
【００２５】
次に、支基４と座シェル６との組み付け状況を、図３及び図５、図６に基づいて説明すると、まず、座シェル６の下面を上方に向けた状態で、操作レバー８を座シェル６上に配置しておく。具体的には、丸棒材８ａを一対の枢軸保持溝１０，１０間及び挿通部１３ａに挿通し、かつ、枢軸９を一対の枢軸保持溝１０，１０内に嵌合することで、作用部１４が挿入筒部１３内に配置される。この状態で、支基４を枠状リブ２３内に嵌合し、該枠状リブ２３により支基４が位置決めされた状態で各取付穴１６にボルト１５を取り付け、支基４を枠状リブ２３内に嵌合し、ボルト１５をネジ穴１７内に螺合する。
【００２６】
これにより、一対の枢軸保持溝１０，１０の開口部が固定板１８の上面１８ａにより閉塞され、つまり、一対の枢軸保持溝１０，１０内に両端が嵌合された枢軸９が、該枢軸保持溝１０と上面１８ａとの間に挟持され、これにより枢軸保持溝１０，１０の回動支持部２５が構成され、枢軸９を中心として操作レバー８が上下に可動可能となる。
【００２７】
また、挿入筒部１３内の中心に配置されたガススプリング２の操作ボタン２’の先端に、操作レバー８の作用部１４が配置されるので、操作レバー８を枢軸９を中心に回動することで、操作ボタン２’の押圧及び押圧解除操作ができるようになる。
【００２８】
以上、本実施例における椅子１におけるガススプリング操作レバー８の取付構造では、座シェル６の下面に一体成形された枢軸保持溝１０と、支基４に設けられた固定板１８の上面１８ａとで、操作レバー８に接合された枢軸９を上下から挟持することで、操作レバーの回動支持部２５が構成される。これにより枢軸９を専用の金具等で回動支持部２５を構成するように挟持するよりも、操作レバーの取付構造が簡素化される。また、座シェル６の下面に支基４を取り付けるだけで回動支持部２５が構成されるため、操作レバー８の取り付け部のメンテナンスが容易となる。
【００２９】
また、略U字状の形状となる枢軸保持溝１０と上面１８ａとにより枢軸９を上下から挟持することで回動支持部２５が形成され、その際に回動支持部２５の径がほぼ一定に確保されるので、座体７と支基４との組み立て時に精度を気にしなくともよくなる。
【００３０】
また、座シェル６下面は複数のリブにより格子状シェル構造になっており、更に格子の一部と一体になって枢軸保持溝１０，１０が形成されることで、操作レバー８を上下方向に回動させることで発生する枢軸９への負荷を格子状のシェル構造で分散するので、枢軸保持溝１０の耐久性が向上する。
【００３１】
また、枢軸９を枢軸保持溝１０へ嵌合することで、操作レバー８の作用部１４が挿入筒部１３内に挿入される操作ボタン２’を押圧可能な位置へと配される構造、つまり、挿入筒部１３及び枢軸保持溝１０が予め座シェル６の下面に一体成形されているので、枢軸９を枢軸保持溝１０に嵌合するだけで、作用部１４を操作ボタン２’の位置へと正確に位置決めすることが可能となる。
【００３２】
また、座シェル４の格子状シェル構造を合成樹脂により形成しているが、これにより抜き方成型が可能となるので、挿入筒部１３や枢軸保持溝１０などの一体成型が容易となる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、座シェル６の下面側に形成された枢軸保持溝１０と、支基４に設けられた固定板１８の上面１８ａと、で枢軸９が上下から挟持されるようになっていたが、枢軸９が座シェル６の溝と支基の上部とで挟持されているものであれば、例えば支基４における固定板１８の上面１８ａ以外の箇所で挟持されるようにしてもよい。
【００３５】
また、前記実施例では、座体の高さ調節用のガススプリング２の操作ボタンを押圧操作する操作レバーの取り付け構造について説明してきたが、本発明はこれに限定されるものではなく、例えば背凭れ５の角度調節用のガススプリング等、座体の高さ調節以外の調節に用いるガススプリングの操作ボタンを押圧操作する操作レバーの取り付け構造に適用してもよい。
【図面の簡単な説明】
【００３６】
【図１】本発明の椅子におけるガススプリング操作レバーの取付構造を備えた椅子を示す全体図である。
【図２】図１の椅子を斜め上方から見た状態を示す分解斜視図である。
【図３】図１の椅子を斜め下方から見た状態を示す斜視図である。
【図４】座シェルの裏面構造を示す底面図である。
【図５】図４（ａ）のＡ−Ａ断面図、（ｂ）は図４（ａ）のＢ−Ｂ断面図である。
【図６】図５の回動支持部周りの拡大断面図である。
【符号の説明】
【００３７】
１                椅子
２                ガススプリング
２’              操作ボタン
３                支柱
３ａ              カバー体
４                支基
５                背凭れ
６                座シェル
７                座体
８                操作レバー
８ａ              丸棒材
９                枢軸
１０              枢軸保持溝
１３              挿入筒部
１３ａ            挿通部
１４              作用部
１８              固定板
１８ａ            上面
２５              回動支持部
２６              平坦面
【図１】
2008099837.tif 000003
【図２】
2008099837.tif 000004
【図３】
2008099837.tif 000005
【図４】
2008099837.tif 000006
【図５】
2008099837.tif 000007
【図６】
2008099837.tif 000008